(57)【要約】【課題】アクティブマトリクス方式の電気光学装置の駆動期間中の表示停止信号の入力による表示品位の劣化を防ぐ表示システム、データドライバ及び表示駆動方法を提供する。【解決手段】アクティブマトリクス方式の表示パネルを含む表示システムにおいて、画像表示を停止するための表示停止信号に基づき表示制御信号、走査制御信号及びＯＦＦデータ出力制御信号を出力する第１及び第２のフレーム同期回路１００、１１０と、ＯＦＦデータ出力制御回路１２０とを含む。データドライバは、ＯＦＦデータ出力制御信号に基づき表示停止信号が入力された第１のフレームの次の第２のフレームを含む所与のフレーム期間中に表示パネルのデータラインを駆動し該フレーム期間経過後に所与の非表示電圧を出力する。走査ドライバは、走査制御信号に基づき表示パネルの走査ラインを走査し前記フレーム期間経過後に所与の非選択電圧を全走査ラインに出力する。【選択図】        図３
2004287163.tif 000002
【特許請求の範囲】
【請求項１】
アクティブマトリックス方式の表示パネルと、
前記表示パネルのデータラインを駆動するデータドライバと、
前記表示パネルの走査ラインを走査する走査ドライバとを含む表示システムであって、
前記データドライバが、
前記表示パネルの画像表示を停止するための表示停止信号が入力された場合に、該表示停止信号が入力された第１のフレームの次の第２のフレームを含む該第２のフレーム以降のフレーム期間中に所与の階調値に対応した駆動電圧を前記データラインに出力すると共に、前記フレーム期間経過後に非表示電圧を前記データラインに出力し、
前記走査ドライバが、
前記第１のフレーム及び前記フレーム期間中に前記走査ラインに選択電圧を出力して走査すると共に、前記フレーム期間経過後に非選択電圧を前記走査ラインのすべてに出力することを特徴とする表示システム。
【請求項２】
アクティブマトリックス方式の表示パネルと、
前記表示パネルのデータラインを駆動するデータドライバと、
前記表示パネルの走査ラインを走査する走査ドライバとを含む表示システムであって、
前記表示パネルの画像表示を停止するための表示停止信号を、前記表示パネルの垂直走査期間を規定するフレームパルスに同期させた表示制御信号を出力する第１のフレーム同期回路と、
前記表示制御信号を前記フレームパルスに同期させた走査制御信号を出力する第２のフレーム同期回路と、
前記表示制御信号に基づいて、前記データラインに所与の階調値に対応した駆動電圧を出力するためのＯＦＦデータ出力制御信号を、前記表示停止信号が入力された第１のフレームの次の第２のフレームを含む該第２のフレーム以降のフレーム期間中に出力するＯＦＦデータ出力制御回路とを含み、
前記データドライバは、
前記ＯＦＦデータ出力制御信号に基づいて、前記フレーム期間中に前記駆動電圧を前記データラインに出力すると共に前記フレーム期間経過後に非表示電圧を前記データラインに出力し、
前記走査ドライバは、
前記走査制御信号に基づいて、前記第１のフレーム及び前記フレーム期間中に前記走査ラインに選択電圧を出力して走査すると共に前記フレーム期間経過後に非選択電圧を前記走査ラインのすべてに出力することを特徴とする表示システム。
【請求項３】
請求項１又は２において、
前記表示停止信号は、
前記データドライバの初期化信号、又は前記データラインの駆動が停止されるスリープ状態に設定するためのスリープ信号であることを特徴とする表示システム。
【請求項４】
請求項１乃至３のいずれかにおいて、
前記所与の階調値に対応した駆動電圧は、
階調値が０に対応した駆動電圧であることを特徴とする表示システム。
【請求項５】
アクティブマトリクス方式の表示パネルのデータラインを駆動するデータドライバであって、
前記表示パネルの画像表示を停止するための表示停止信号を、前記表示パネルの垂直走査期間を規定するフレームパルスに同期させた表示制御信号を出力する第１のフレーム同期回路と、
前記表示制御信号を前記フレームパルスに同期させた走査制御信号を出力する第２のフレーム同期回路と、
前記表示制御信号に基づいて、前記データラインに所与の階調値に対応した駆動電圧を出力するためのＯＦＦデータ出力制御信号を、前記表示停止信号が入力された第１のフレームの次の第２のフレームを含む該第２のフレーム以降のフレーム期間中に出力するＯＦＦデータ出力制御回路と、
階調値に対応した駆動電圧を前記データラインに出力する駆動回路とを含み、
前記駆動回路が、
前記ＯＦＦデータ出力制御信号に基づいて、前記フレーム期間中に前記駆動電圧を前記データラインに出力すると共に前記フレーム期間経過後に非表示電圧を前記データラインに出力することを特徴とするデータドライバ。
【請求項６】
請求項５において、
前記走査制御信号は、
前記表示パネルの走査ラインを走査ドライバに対して出力され、
前記走査ドライバは、
前記走査制御信号に基づいて、前記第１のフレーム及び前記フレーム期間中に前記走査ラインに選択電圧を出力して走査すると共に前記フレーム期間経過後に非選択電圧を前記走査ラインのすべてに出力することを特徴とするデータドライバ。
【請求項７】
請求項５又は６において、
前記表示停止信号は、
前記データドライバの初期化信号、又は前記データラインの駆動が停止されるスリープ状態に設定するためのスリープ信号であることを特徴とするデータドライバ。
【請求項８】
請求項５乃至７のいずれかにおいて、
前記所与の階調値に対応した駆動電圧は、
階調値が０に対応した駆動電圧であることを特徴とするデータドライバ。
【請求項９】
アクティブマトリックス方式の表示パネルと、
前記表示パネルのデータラインを駆動するデータドライバと、
前記表示パネルの走査ラインを走査する走査ドライバと、
を含む表示システムの表示駆動方法であって、
前記データドライバが、前記表示パネルの画像表示を停止するための表示停止信号が入力された場合に該表示停止信号が入力された第１のフレームの次の第２のフレームを含む該第２のフレーム以降のフレーム期間中に所与の階調値に対応した駆動電圧を前記データラインに出力すると共に、前記走査ドライバが、前記第１のフレーム及び前記フレーム期間中に前記走査ラインに選択電圧を出力して走査し、
前記フレーム期間経過後に、前記データドライバが、非表示電圧を前記データラインに出力すると共に、前記走査ドライバが、非選択電圧を前記走査ラインのすべてに出力することを特徴とする表示駆動方法。
【発明の詳細な説明】
【０００１】
【発明の属する技術分野】
本発明は、表示システム、データドライバ及び表示駆動方法に関する。
【０００２】
【従来の技術】
代表的な表示システムとして、液晶表示システムがある。液晶表示システムは、液晶パネル（表示パネル。更に広義には電気光学装置）と、該液晶パネルの走査ライン（走査電極）を走査する走査ドライバと、該液晶パネルのデータライン（データ電極）を駆動するデータドライバとを含む。この液晶パネルの液晶駆動方式として、パッシブマトリクス駆動方式と、アクティブマトリクス駆動方式とがある。パッシブマトリクス駆動方式は、例えばＳＴＮ（Ｓｕｐｅｒ  Ｔｗｉｓｔｅｄ  Ｎｅｍａｔｉｃ）モードの液晶パネルに代表されるパッシブマトリクス方式の液晶パネルの駆動に用いられる。アクティブマトリクス駆動方式は、例えば薄膜トランジスタ（Ｔｈｉｎ  Ｆｉｌｍ  Ｔｒａｎｓｉｓｔｏｒ：ＴＦＴ）や薄膜ダイオード（Ｔｈｉｎ  Ｆｉｌｍ  Ｄｉｏｄｅ：ＴＦＤ）が画素又はドットごとに設けられたアクティブマトリクス方式の液晶パネルの駆動に用いられる。
【０００３】
パッシブマトリクス方式の液晶パネルでは、走査ラインを順次選択して、データラインに電圧が印加される。選択された走査ラインには選択電圧が与えられ、選択されない走査ラインには非選択電圧が与えられる。したがって、パッシブマトリクス方式では、選択画素及び非選択画素に電圧が印加されることになる。
【０００４】
一方、アクティブマトリクス方式の液晶パネルでも、走査ラインを順次選択してデータラインに電圧が印加されるが、非選択画素の走査ラインは選択されず、該非選択画素に必ずしも電圧が印加されるとは限らない。
【０００５】
【特許文献１】
特開平９−２６９４７６号公報
【０００６】
【発明が解決しようとする課題】
例えば駆動期間中に、表示停止信号として例えば初期化信号（リセット信号）が入力される場合がある。このとき、垂直走査方向の走査を途中で停止しても、パッシブマトリクス方式では、選択画素及び非選択画素に常に電圧が印加されている。そのため、全走査ラインに非選択電圧、全データラインに非選択電圧を与えることで、すべての画素の印加電圧をほぼ０にすることができる。
【０００７】
これに対して、アクティブマトリクス方式では、選択画素にはデータラインの電圧を印加することができるが、非選択画素にはデータラインの電圧を印加することができない。そのため、垂直走査方向の走査を途中で停止すると、画素に保持された電荷が徐々に放電され、液晶パネルの表示画像がにじみ、表示品質の劣化を招いていた。
【０００８】
本発明は、以上のような技術的課題に鑑みてなされたものであり、その目的とするところは、アクティブマトリクス方式の電気光学装置の駆動期間中に表示停止信号の入力による表示品位の劣化を回避する表示システム、データドライバ及び表示駆動方法を提供することにある。
【０００９】
【課題を解決するための手段】
上記課題を解決するために本発明は、アクティブマトリックス方式の表示パネルと、前記表示パネルのデータラインを駆動するデータドライバと、前記表示パネルの走査ラインを走査する走査ドライバとを含む表示システムであって、前記データドライバが、前記表示パネルの画像表示を停止するための表示停止信号が入力された場合に、該表示停止信号が入力された第１のフレームの次の第２のフレームを含む該第２のフレーム以降のフレーム期間中に所与の階調値に対応した駆動電圧を前記データラインに出力すると共に、前記フレーム期間経過後に非表示電圧を前記データラインに出力し、前記走査ドライバが、前記第１のフレーム及び前記フレーム期間中に前記走査ラインに選択電圧を出力して走査すると共に、前記フレーム期間経過後に非選択電圧を前記走査ラインのすべてに出力する表示システムに関係する。
【００１０】
ここでフレーム期間とは、第２のフレームから第ｎ（ｎ≧２、ｎは整数）のフレームまでの期間ということができる。なお第ｎのフレームは、第（ｎ−１）のフレームの次のフレームを意味する。
【００１１】
本発明によれば、表示停止信号が入力された場合に、該表示停止信号が入力された第１のフレームと該第１のフレームの次の第２のフレームを含む該第２のフレーム以降のフレーム期間中とにおいて、走査ドライバによる走査が中断されない。そして、上記フレーム期間中に、データドライバにより、所与の階調値に対応した駆動電圧がデータラインに出力された後、上記フレーム期間経過後に非表示電圧がデータラインに出力される。したがって、第１のフレームでは、表示されていた画像がそのまま表示される。そして、続く第２のフレームを含む上記フレーム期間では、上記駆動電圧が、アクティブマトリクス方式の表示パネルの画素に印加される。これにより、アクティブマトリクス方式の表示パネルの垂直走査中に走査が中断して、走査中の画像の表示データに対応した電荷が放電して、画像が次第ににじむという表示品位の劣化を回避することができるようになる。
【００１２】
また本発明は、アクティブマトリックス方式の表示パネルと、前記表示パネルのデータラインを駆動するデータドライバと、前記表示パネルの走査ラインを走査する走査ドライバとを含む表示システムであって、前記表示パネルの画像表示を停止するための表示停止信号を、前記表示パネルの垂直走査期間を規定するフレームパルスに同期させた表示制御信号を出力する第１のフレーム同期回路と、前記表示制御信号を前記フレームパルスに同期させた走査制御信号を出力する第２のフレーム同期回路と、前記表示制御信号に基づいて、前記データラインに所与の階調値に対応した駆動電圧を出力するためのＯＦＦデータ出力制御信号を、前記表示停止信号が入力された第１のフレームの次の第２のフレームを含む該第２のフレーム以降のフレーム期間中に出力するＯＦＦデータ出力制御回路とを含み、前記データドライバは、前記ＯＦＦデータ出力制御信号に基づいて、前記フレーム期間中に前記駆動電圧を前記データラインに出力すると共に前記フレーム期間経過後に非表示電圧を前記データラインに出力し、前記走査ドライバは、前記走査制御信号に基づいて、前記第１のフレーム及び前記フレーム期間中に前記走査ラインに選択電圧を出力して走査すると共に前記フレーム期間経過後に非選択電圧を前記走査ラインのすべてに出力する表示システムに関係する。
【００１３】
本発明においては、第１及び第２のフレーム同期回路により表示制御回路及び走査制御回路を生成し、ＯＦＦデータ出力制御回路により表示制御信号に基づいてＯＦＦデータ出力制御信号を生成する。ＯＦＦデータ出力制御信号は、表示停止信号が入力された第１のフレームの次の第２のフレームを含む該第２のフレーム以降のフレーム期間中に出力される。
【００１４】
したがって、表示停止信号が入力された場合でも、該表示停止信号が入力された第１のフレームと該第１のフレームの次の第２のフレームを含む該第２のフレーム以降のフレーム期間中とにおいて、走査ドライバによる走査が中断されない。そして、上記フレーム期間中に、データドライバにより、所与の階調値に対応した駆動電圧がデータラインに出力された後、上記フレーム期間経過後に非表示電圧がデータラインに出力される。したがって、第１のフレームでは、表示されていた画像がそのまま表示される。そして、続く第２のフレームを含む上記フレーム期間では、上記駆動電圧が、アクティブマトリクス方式の表示パネルの画素に印加される。これにより、アクティブマトリクス方式の表示パネルの垂直走査中に走査が中断して、走査中の画像の表示データに対応した電荷が放電して、画像が次第ににじむという表示品位の劣化を回避することができるようになる。
【００１５】
また、表示停止信号が入力された場合のデータドライバ及び走査ドライバを制御するための制御信号を、簡素な回路により生成することができる。
【００１６】
また本発明に係る表示システムでは、前記表示停止信号は、前記データドライバの初期化信号、又は前記データラインの駆動が停止されるスリープ状態に設定するためのスリープ信号であってもよい。
【００１７】
本発明によれば、初期化信号又はスリープ信号が入力された場合でも、走査中の画像の表示データに対応した電荷が放電して、画像が次第ににじむという表示品位の劣化を回避することができる表示システムを提供することができる。
【００１８】
また本発明に係る表示システムでは、前記所与の階調値に対応した駆動電圧は、階調値が０に対応した駆動電圧であってもよい。
【００１９】
本発明によれば、上述した効果を得ると共に、上記フレーム期間においてデータラインの駆動に用いられる駆動電圧の生成の簡素化を図る表示システムを提供することができる。
【００２０】
また本発明は、アクティブマトリクス方式の表示パネルのデータラインを駆動するデータドライバであって、前記表示パネルの画像表示を停止するための表示停止信号を、前記表示パネルの垂直走査期間を規定するフレームパルスに同期させた表示制御信号を出力する第１のフレーム同期回路と、前記表示制御信号を前記フレームパルスに同期させた走査制御信号を出力する第２のフレーム同期回路と、前記表示制御信号に基づいて、前記データラインに所与の階調値に対応した駆動電圧を出力するためのＯＦＦデータ出力制御信号を、前記表示停止信号が入力された第１のフレームの次の第２のフレームを含む該第２のフレーム以降のフレーム期間中に出力するＯＦＦデータ出力制御回路と、階調値に対応した駆動電圧を前記データラインに出力する駆動回路とを含み、前記駆動回路が、前記ＯＦＦデータ出力制御信号に基づいて、前記フレーム期間中に前記駆動電圧を前記データラインに出力すると共に前記フレーム期間経過後に非表示電圧を前記データラインに出力するデータドライバに関係する。
【００２１】
また本発明に係るデータドライバでは、前記走査制御信号は、前記表示パネルの走査ラインを走査ドライバに対して出力され、前記走査ドライバは、前記走査制御信号に基づいて、前記第１のフレーム及び前記フレーム期間中に前記走査ラインに選択電圧を出力して走査すると共に前記フレーム期間経過後に非選択電圧を前記走査ラインのすべてに出力することができる。
【００２２】
また本発明に係るデータドライバでは、前記表示停止信号は、前記データドライバの初期化信号、又は前記データラインの駆動が停止されるスリープ状態に設定するためのスリープ信号であってもよい。
【００２３】
また本発明に係るデータドライバでは、前記所与の階調値に対応した駆動電圧は、階調値が０に対応した駆動電圧であってもよい。
【００２４】
また本発明は、アクティブマトリックス方式の表示パネルと、前記表示パネルのデータラインを駆動するデータドライバと、前記表示パネルの走査ラインを走査する走査ドライバとを含む表示システムの表示駆動方法であって、前記データドライバが、前記表示パネルの画像表示を停止するための表示停止信号が入力された場合に該表示停止信号が入力された第１のフレームの次の第２のフレームを含む該第２のフレーム以降のフレーム期間中に所与の階調値に対応した駆動電圧を前記データラインに出力すると共に、前記走査ドライバが、前記第１のフレーム及び前記フレーム期間中に前記走査ラインに選択電圧を出力して走査し、前記フレーム期間経過後に、前記データドライバが、非表示電圧を前記データラインに出力すると共に、前記走査ドライバが、非選択電圧を前記走査ラインのすべてに出力する表示駆動方法に関係する。
【００２５】
【発明の実施の形態】
以下、本発明の好適な実施の形態について図面を用いて詳細に説明する。なお、以下に説明する実施の形態は、特許請求の範囲に記載された本発明の内容を不当に限定するものではない。また以下で説明される構成の全てが本発明の必須構成要件であるとは限らない。
【００２６】
１．  表示システム
図１（Ａ）、（Ｂ）に、表示システム１０の構成例の等価回路を示す。表示システム１０は、表示パネル２０を含む。表示パネル２０として、図１（Ａ）に示すようにＴＦＤ（広義には２端子型非線形素子）を用いたアクティブマトリクス方式の表示パネルを用いることができる。
【００２７】
表示パネル２０は、複数の走査ライン３０と、複数のデータライン３２とを含む。複数の走査ライン３０は、走査ドライバ４０により走査される。複数のデータライン３２は、データドライバ５０により駆動される。そして、各画素領域３４において、走査ライン３０とデータライン３２との間にＴＦＤ３６と電気光学材料（液晶）３８とが直列に接続される。
【００２８】
表示パネル２０では、走査ライン３０及びデータライン３２に印加された信号に基づいて、電気光学材料３８を表示状態、非表示状態又はその中間状態に切り替えて表示動作が制御される。なお図１（Ａ）では、ＴＦＤ３６が走査ライン３０側に接続され、電気光学材料３８がデータライン３２側に接続されているが、これとは逆にＴＦＤ３６をデータライン３２側に、電気光学材料３８を走査ライン３０側に設ける構成としてもよい。
【００２９】
データドライバ５０は、表示停止制御回路５２を含む。表示停止制御回路５２には、表示パネル２０の画像表示を停止するための表示停止信号が入力される。表示停止信号として、例えばユーザによるボタン押下等の操作に基づいて生成される初期化信号としてのリセット信号や、ＭＰＵ等の外部ホストによって設定されるコマンドに基づいて生成される信号（例えばスリープ信号）がある。
【００３０】
データドライバ５０は、表示停止制御回路５２からの制御信号により、表示停止信号が入力された第１のフレームの次の第２のフレームを含む該第２のフレーム以降のフレーム期間中に所与の階調値（例えば階調値０）に対応した駆動電圧をデータライン３２に出力する。またデータドライバ５０は、表示停止制御回路５２からの制御信号により、上述のフレーム期間経過後に所与の非表示電圧をデータライン３２に出力する。
【００３１】
更に走査ドライバ４０は、表示停止制御回路５２からの制御信号により、第１のフレーム及び上述のフレーム期間中に、走査ライン３０に所与の選択電圧を出力して走査し、上述のフレーム期間経過後に所与の非選択電圧を走査ライン３０のすべてに出力する。
【００３２】
また表示パネルは、図１（Ｂ）に示すように、画素が形成されるガラス基板上に、データドライバ６０及び走査ドライバ６２の少なくとも一方を形成するようにしてもよい。データドライバ６０は、データドライバ５０と同様の機能を有し、表示停止制御回路５２を含む。走査ドライバ６２は、走査ドライバ４０と同様の機能を有する。例えば表示パネル２０は、複数の走査ライン３０と、複数のデータライン３２と、複数の走査ライン３０と複数のデータライン３２とに接続された複数の画素と、複数の走査ライン３０を走査する走査ドライバ６２と、複数のデータライン３２を駆動するデータドライバ６０とを含んで構成される。この場合、表示パネル２０を電気光学装置ということができ、実装面積を大幅に削減して、電子機器の小型・軽量化に貢献することができる。
【００３３】
なお図１（Ａ）、（Ｂ）では、アクティブマトリクス方式としてＴＦＤを用いていたが、これに限定されるものではなく、ＴＦＴ等の３端子素子や、他の２端子素子を用いたアクティブマトリクスパネルであってもよい。
【００３４】
図２（Ａ）、（Ｂ）、（Ｃ）に、表示システム１０による表示停止制御の説明図を示す。図２（Ａ）に示す第１のフレームの垂直走査期間中に、表示停止信号としての初期化信号が入力された場合、データドライバ５０では、走査を継続して第１のフレームの垂直走査を完了させる（図２（Ｂ））。したがって、表示停止信号の入力に関わらず、第１のフレームまでは、走査ドライバ４０による走査ライン３０の走査と、データドライバ５０によるデータライン３２の駆動とが行われる。
【００３５】
そして、図２（Ｃ）に示すように、第１のフレームの次の第２のフレームを含む１又は複数フレーム期間において、走査ドライバ４０により第１のフレームと同様に走査ライン３０の走査を行うと共に、データドライバ５０によりＯＦＦデータに基づく非表示電圧をデータライン３２に出力される。これにより、表示パネル２０の画素に蓄積された電荷を、ＯＦＦデータに対応した電荷に書き換えることができる。ＯＦＦデータとして、例えば階調値０に対応した表示データを用いることができる。
【００３６】
図２（Ｃ）の第２のフレームを含む上述のフレーム期間経過後に、走査ドライバ４０は、走査ライン３０のすべてに非選択電圧を出力する。この結果、表示パネル２０の画素にＯＦＦデータを書き込んだ状態で、走査ドライバ４０による走査と、データドライバ５０による駆動とを停止させることができる。
【００３７】
このように、表示システム１０では、表示停止信号が入力されたフレームの途中で走査ラインの走査が中断されることなく、かつ当該フレームの次のフレームでＯＦＦデータを書き込んで表示パネル２０の駆動を停止して画像表示が停止される。これにより、画素に保持された電荷が徐々に抜けて表示パネルの表示画像がにじんで表示品質が劣化することを回避することができる。
【００３８】
図３に、表示停止制御回路５２の原理的な構成の概要を示す。表示停止制御回路５２は、第１及び第２のフレーム同期回路１００、１１０と、ＯＦＦデータ出力制御回路１２０とを含む。
【００３９】
第１のフレーム同期回路１００は、表示停止信号を、表示パネル２０の垂直走査期間を規定するフレームパルスに同期させた表示制御信号を出力する。第２のフレーム同期回路１１０は、表示制御信号をフレームパルスに同期させた走査制御信号を出力する。ＯＦＦデータ出力制御回路１２０は、表示制御信号に基づいて、データラインに所与の階調値（例えば階調値０）に対応した駆動電圧を出力するためのＯＦＦデータ出力制御信号を、所与のフレーム期間中に出力する。ＯＦＦデータ出力制御信号は、表示停止信号が入力されたフレームの次のフレームを含む１又は複数のフレーム期間を規定する。
【００４０】
以下では、表示制御回路５２がデータドライバ５０に含まれるものとして説明するが、走査ドライバ４０及びデータドライバ５０の少なくとも１つを制御するコントローラに表示制御回路５２が含まれるように構成してもよい。
【００４１】
図４に、表示停止制御回路５２の動作例のタイミング図を示す。図４では、表示停止信号が入力される第１のフレームの次の第２のフレームを含むフレーム期間は１フレーム期間であるが、複数フレーム期間であってもよい。
【００４２】
データドライバ５０は、表示制御信号に基づいて、表示データに対応した駆動電圧をデータライン３２に出力する。したがって、表示停止信号が入力された次のフレームに同期化された表示制御信号は、第２のフレームにおいて「Ｈ」レベルから「Ｌ」レベルに変化する。データドライバ５０では、「Ｌ」レベルになった表示制御信号により、表示データに対応した駆動電圧の出力を停止することができる。
【００４３】
ＯＦＦデータ出力制御信号は、表示制御信号の立ち下がり後の１又は複数フレーム期間だけ「Ｈ」レベルになる。データドライバ５０は、「Ｈ」レベルになったＯＦＦデータ出力制御信号により規定されるフレーム期間中、階調値０に対応した駆動電圧をデータライン３２に出力する。
【００４４】
表示停止信号が入力された第１のフレームと、該第１のフレームの次の第２のフレームを含むフレーム期間中まで、走査制御信号の「Ｈ」レベルが保持され、該フレーム期間が経過した後に「Ｌ」レベルに変化する。走査ドライバ４０は、「Ｈ」レベルの走査制御信号により走査ライン３０を走査し、「Ｌ」レベルの走査制御信号により走査ライン３０の走査を停止することができる。走査を停止した走査ドライバ４０は、走査ライン３０のすべてに所与の非選択電圧を出力する。
【００４５】
次に、このような表示停止制御回路５２により制御される走査ドライバ４０とデータドライバ５０の構成例について説明する。
【００４６】
１．１  走査ドライバ
図５に、走査ドライバ４０の構成例を示す。走査ドライバ４０は、シフトレジスタ１４０を含む。シフトレジスタ１４０は、各フリップフロップ（Ｆｌｉｐ−Ｆｌｏｐ：ＦＦ）が各走査ラインに対応した複数のフリップフロップを含む。また走査ドライバ４０は、各レベルシフタ（Ｌｅｖｅｌ  Ｓｈｉｆｔｅｒ：Ｌ／Ｓ）が各ＦＦに対応して設けられた複数のＬ／Ｓ１４２と、各バッファが各Ｌ／Ｓの出力に接続された複数のバッファ１４４とを含む。
【００４７】
ＦＦは、クロック（Ｃ）端子と、データ入力（Ｄ）端子と、データ出力（Ｑ）端子と、反転データ出力（ＸＱ）端子と、リセット（Ｒ）端子とを含む。ＦＦは、クロック端子への入力信号の立ち上がりに同期して、データ入力端子への入力信号を取り込んで保持し、データ出力端子から出力する。Ｌ／Ｓは、これに対応するＦＦのデータ出力端子及び反転データ出力端子からの出力信号に基づいて、所与の電圧レベルに変換する。バッファは、Ｌ／Ｓによって変換された電圧レベルで、走査ラインを駆動する。
【００４８】
シフトレジスタ１４０は、フレームパルスを、水平走査期間を規定するラッチパルスＬＰにより順次シフトする。これにより、各走査ラインは、例えば一垂直走査周期で選択される。選択された走査ラインには、選択電圧が印加され、選択されない走査ラインには非選択電圧が印加される。
【００４９】
シフトレジスタ１４０を構成するＦＦは、走査制御信号により初期化される。したがって、図４に示したように走査制御信号が「Ｌ」レベルになった第２のフレームを含むフレーム期間経過後に、走査を停止して、全走査ラインに所与の非選択電圧を印加することができる。
【００５０】
１．２  データドライバ
図６に、データドライバ５０の構成の概要を示す。データドライバ５０は、表示データＲＡＭ２００、パルス幅変調（Ｐｕｌｓｅ  Ｗｉｄｔｈ  Ｍｏｄｕｌａｔｉｏｎ：ＰＷＭ）デコーダ回路２１０、駆動回路２２０、及びこれら回路を制御する制御回路２３０を含む。
【００５１】
表示データＲＡＭ２００は、１フレーム分の表示データを記憶する。表示データは、外部のホストによって表示データＲＡＭ２００に書き込まれる。データドライバ５０は、表示データＲＡＭ２００に記憶された表示データに基づいて、データラインを駆動する。
【００５２】
表示データＲＡＭ２００から読み出された表示データは、ＰＷＭデコーダ回路２１０に供給される。ＰＷＭデコーダ回路２１０は、表示データに対応したパルス幅のＰＷＭ信号を生成する。駆動回路２２０は、ＰＷＭデコーダ回路２１０によって生成されたＰＷＭ信号に基づき、データラインを駆動する。
【００５３】
制御回路２３０は、例えばホストから指示される表示タイミングに合わせて、表示データＲＡＭ２００から表示データを読み出す制御を行うと共に、走査ドライバ４０に対して走査タイミングを指示する。
【００５４】
このような制御回路２３０は、表示停止制御回路２４０を含む。表示停止制御回路２４０は、図３に示す表示停止制御回路５２と同様の機能を有する。制御回路２３０は、例えば図３に示す表示制御信号により、表示データＲＡＭ２００やＰＷＭデコーダ回路２１０の動作を停止することができる。また駆動回路２２０は、例えば図３に示す表示制御信号により表示データに対応した駆動電圧による駆動を停止する。また駆動回路２２０は、図３に示すＯＦＦデータ出力制御信号により階調値０に対応した駆動電圧による駆動を行うことができる。
【００５５】
次に、データドライバ５０に適用される表示停止制御回路２４０を含む制御回路２３０の要部の構成例について説明する。
【００５６】
制御回路２３０は、スリープ状態、表示オフ状態及び表示オン状態を含む複数の状態間を遷移することにより、データドライバ５０の駆動制御を行う。またデータドライバ５０は、駆動用電源を生成するための電源回路を含み、遷移先の状態に応じて、駆動用電源の生成と、その駆動用電源の生成の停止とが行われる。このようにデータドライバ５０では、遷移先の状態に関連付けられた制御信号に基づき、駆動制御が行われる。
【００５７】
図７に、制御回路２３０により制御される状態遷移の一例を示す。ここでは説明を簡略化するため、スリープ状態、表示オフ状態及び表示オン状態の３状態間の遷移によりデータドライバの駆動制御が行われるものとする。
【００５８】
スリープ状態ＳＴ５００では、データドライバ５０は、駆動用電源を生成せず、駆動信号を用いた表示動作を行わない。表示オン状態ＳＴ５１０では、データドライバ５０は、駆動用電源を生成して、駆動信号を用いた表示動作を行う。表示オフ状態ＳＴ５２０では、データドライバ５０は、駆動用電源を生成するが、駆動信号を用いた表示動作を行わない。
【００５９】
データドライバ５０は、図８に示すようにＭＰＵ等のホスト５３０によって設定されるコマンドによって、スリープ状態ＳＴ５００、表示オン状態ＳＴ５１０又は表示オフ状態ＳＴ５２０のいずれかの状態に遷移することができる。
【００６０】
より具体的には、スリープ状態ＳＴ５００のデータドライバ５０は、ホスト５３０によって設定されるＳＬＰＯＵＴコマンドによって表示オフ状態ＳＴ５１０に遷移する。表示オフ状態ＳＴ５１０のデータドライバ５０は、同様にホスト５３０によって設定されるＳＬＰＩＮコマンド（データラインの駆動が停止されるスリープ状態に設定するためのスリープ信号）によってスリープ状態ＳＴ５００に遷移し、同様に設定されるＤＩＳＯＮコマンドによって表示オン状態ＳＴ５２０に遷移する。表示オン状態ＳＴ５２０のデータドライバ５０は、ホスト５３０によって設定されるＤＩＳＯＦＦコマンドによって表示オフ状態ＳＴ５１０に遷移する。
【００６１】
図９（Ａ）、（Ｂ）に、各状態において設定されるコマンドに応じた遷移を模式的に示す。図９（Ａ）は、図８に示す各状態においてコマンドが設定されたときの状態遷移を模式的に示している。図９（Ｂ）は、図８に示す各状態におけるコマンドの入力順序を変更することで実現できる状態遷移を模式的に示している。
【００６２】
図９（Ａ）では、図８に示すように、例えばスリープ状態において設定されるＳＬＰＯＵＴコマンドによって、表示オフ状態に遷移することを意味する。また例えば表示オフ状態において設定されるＤＩＳＯＮコマンドによって、表示オン状態に遷移することを意味する。
【００６３】
一方、図９（Ｂ）では、スリープ状態においてＤＩＳＯＮコマンドが設定されると、図８に示す状態遷移図ではどの状態にも遷移しない。ところが、スリープ状態においてＤＩＳＯＮコマンドが設定されたことを条件に、該スリープ状態においてＳＬＰＯＵＴコマンドが設定されると、表示オフ状態に遷移後、新たにＤＩＳＯＮコマンドを設定することなく表示オン状態に自動的に遷移する。こうすることで、煩雑なコマンド設定を回避することができる。
【００６４】
同様に、表示オン状態においてＳＬＰＩＮコマンドが設定されると、表示オフ状態に遷移後、新たにＳＬＰＩＮコマンドを設定することなくスリープ状態に自動的に遷移する。
【００６５】
図１０に、制御回路２３０が含むコマンド設定部の構成の概要を示す。制御回路２３０のコマンド設定部は、コマンドレジスタ６００、デコーダ６１０、表示制御レジスタ６２０、スリープ制御レジスタ６３０を含む。
【００６６】
コマンドレジスタ６００には、ホスト５３０からのコマンドが設定データとして設定される。デコーダ６１０は、コマンドレジスタ６００に設定された設定データをデコードする。
【００６７】
デコーダ６１０により、コマンドレジスタ６００に設定された設定データがＤＩＳＯＮコマンド又はＤＩＳＯＦＦコマンドと判別されたとき、表示制御レジスタ６２０にそのコマンドに対応したデータが設定される。ＤＩＳＯＮコマンドのとき、表示制御レジスタ６２０には「１」が設定される。ＤＩＳＯＦＦコマンドのとき、表示制御レジスタ６２０には「０」が設定される。表示制御レジスタ６２０の設定内容は、ＤＩＳＯＮ＿ＲＥＧ信号として出力される。したがって、ＤＩＳＯＮ＿ＲＥＧ信号が「Ｈ」レベルから「Ｌ」レベルに変化したとき、ＤＩＳＯＦＦコマンドが設定されたことを意味する。またＤＩＳＯＮ＿ＲＥＧ信号が「Ｌ」レベルから「Ｈ」レベルに変化したとき、ＤＩＳＯＮコマンドが設定されたことを意味する。
【００６８】
デコーダ６１０により、コマンドレジスタ６００に設定された設定データがＳＬＰＯＵＴコマンド又はＳＬＰＩＮコマンドと判別されたとき、スリープ制御レジスタ６３０にそのコマンドに対応したデータが設定される。ＳＬＰＯＵＴコマンドのとき、スリープ制御レジスタ６３０には「１」が設定される。ＳＬＰＩＮコマンドのとき、スリープ制御レジスタ６３０には「０」が設定される。スリープ制御レジスタ６３０の設定内容は、ＳＬＰＯＵＴ＿ＲＥＧ信号として出力される。したがって、ＳＬＰＯＵＴ＿ＲＥＧ信号が「Ｈ」レベルから「Ｌ」レベルに変化したとき、ＳＬＰＩＮコマンドが設定されたことを意味する。またＳＬＰＯＵＴ＿ＲＥＧ信号が「Ｌ」レベルから「Ｈ」レベルに変化したとき、ＳＬＰＯＵＴコマンドが設定されたことを意味する。
【００６９】
図１１及び図１２に、表示停止制御回路２４０の要部の構成例を示す。図１１において、ＲＥＳＥＴ信号は、表示停止信号としての初期化信号であり、「Ｌ」レベルでアクティブとなる。ＳＬＰＯＵＴ＿ＲＥＡＬ信号は、図１２に示す回路によって生成される。ＤＩＳＯＮ＿ＲＥＧ信号は、図１０に示す表示制御レジスタ６２０の設定内容に対応した信号である。
【００７０】
ＤＦＦ１は、ＲＥＳＥＴ信号の立ち下がりでＤＩＳＯＮ＿ＲＥＧ信号を取り込み、ＲＥＳＥＴ＿ＳＥＬ信号を出力する。
【００７１】
ＤＦＦ２は、バッファを介して入力されるＳＬＰＯＵＴ＿ＲＥＡＬ信号の立ち上がりでＲＥＳＥＴ信号を取り込み、ＲＥＳＥＴ＿ＰＲＥ１信号を出力する。なおＤＦＦ２は、ＳＬＰＯＵＴ＿ＲＥＡＬ信号が「Ｌ」レベルのときリセットされる。
【００７２】
ＲＥＳＥＴ＿ＰＲＥ２信号は、その入力にＲＥＳＥＴ信号が入力されるバッファの出力信号である。ＲＥＳＥＴ＿ＯＴＨＥＲＳ信号は、ＲＥＳＥＴ＿ＳＥＬ信号に基づいて選択されるＲＥＳＥＴ＿ＰＲＥ１信号又はＲＥＳＥＴ＿ＰＲＥ２信号のいずれかと、ＲＥＳＥＴ信号との論理和信号である。ＲＥＳＥＴ＿ＳＬＰＯＵＴ信号は、その入力にＲＥＳＥＴ信号が入力されるバッファの出力信号である。
【００７３】
ＲＥＳＥＴ＿ＳＬＰＯＵＴ信号が「Ｌ」レベルのとき、スリープ制御レジスタ６３０のみが初期化される。ＲＥＳＥＴ＿ＯＴＨＥＲＳ信号は、スリープ制御レジスタ６３０を除く残りの表示制御レジスタ６２０や他の図示しない制御レジスタを初期化する。
【００７４】
図１２において、ＦＲＡＭＥ＿ＣＬＫ信号は、フレームパルスに相当する。ＳＬＰＯＵＴ＿ＲＥＧ信号は、図１０に示すスリープ制御レジスタ６３０の設定内容に対応した信号である。
【００７５】
ＤＦＦ４は、ＳＬＰＯＵＴ＿ＲＥＧ信号の立ち下がりでＤＩＳＯＮ＿ＲＥＧ信号を取り込み、ＳＬＰＩＮ＿ＳＥＬ信号として出力する。ＳＬＰＯＵＴ＿ＲＥＧ信号の立ち下がりは、ＳＬＰＩＮコマンドが設定されたことを意味する。したがって、ＤＦＦ４は、ＳＬＰＩＮコマンドが設定されたときのＤＩＳＯＮ＿ＲＥＧ信号を、ＳＬＰＩＮ＿ＳＥＬ信号として出力することになる。
【００７６】
ＤＦＦ５は、ＦＲＡＭＥ＿ＣＬＫ信号の立ち上がりでＳＬＰＯＵＴ＿ＲＥＧ信号を取り込み、ＳＬＰＯＵＴ＿ＰＲＥ１信号として出力する。ＤＦＦ６は、ＦＲＡＭＥ＿ＣＬＫ信号の立ち上がりでＳＬＰＯＵＴ＿ＰＲＥ１信号を取り込む。ＤＦＦ７は、ＦＲＡＭＥ＿ＣＬＫ信号の立ち上がりでＤＦＦ６の出力信号を取り込む。立ち下がりエッジ検出回路ＤＤＥＴは、ＳＬＰＯＵＴ＿ＰＲＥ１信号の立ち下がりエッジを検出し、その結果をパルスとして出力する。該パルスが「Ｌ」レベルのとき、ＤＦＦ５〜ＤＦＦ６が初期化される。
【００７７】
ＤＦＦ８は、ＦＲＡＭＥ＿ＣＬＫ信号の立ち上がりでＤＩＳＯＮ＿ＲＥＧ信号を取り込み、ＤＩＳＯＮ＿ＰＲＥ２信号として出力する。ＤＦＦ７の出力信号と、ＤＩＳＯＮ＿ＰＲＥ２信号との論理積信号がＤＩＳＯＮ＿ＰＲＥ１信号となる。ＤＦＦ９は、ＳＬＰＯＵＴ＿ＲＥＧ信号の立ち上がりでＤＩＳＯＮ＿ＲＥＧ信号を取り込み、ＳＬＰＯＵＴ＿ＳＥＬ信号として出力する。
【００７８】
ＤＩＳＯＮ＿ＰＲＥ１信号は、ＳＬＰＯＵＴコマンドが設定されたフレームから３フレーム経過後にＤＩＳＯＮコマンドが設定されたときに「Ｈ」レベルとなる。ＤＩＳＯＮ＿ＰＲＥ２信号は、ＤＩＳＯＮコマンドが設定された次のフレームで「Ｈ」レベルとなる。ＳＬＰＯＵＴ＿ＳＥＬ信号は、ＳＬＰＯＵＴコマンドが設定されたときにＤＩＳＯＮコマンドが設定されているか否かを示す。図１２では、ＳＬＰＯＵＴコマンドが設定されたときにＤＩＳＯＮコマンドが設定されている場合に、ＤＩＳＯＮ＿ＰＲＥ１信号をＤＩＳＯＮ＿ＳＥＬＯＵＴ信号として選択出力し、ＳＬＰＯＵＴコマンドが設定されたときにＤＩＳＯＮコマンドが設定されていない場合にＤＩＳＯＮ＿ＰＲＥ２信号をＤＩＳＯＮ＿ＳＥＬＯＵＴ信号として選択出力する。
【００７９】
ＤＦＦ１０は、ＦＲＡＭＥ＿ＣＬＫ信号の立ち上がりＤＩＳＯＮ＿ＳＥＬＯＵＴ信号を取り込む。ＤＦＦ１０の出力信号と、ＤＩＳＯＮ＿ＳＥＬＯＵＴ信号との論理和が、ＤＩＳＯＮ＿ＲＥＡＬ信号となる。ＤＦＦ１０の出力信号と、ＤＩＳＯＮ＿ＳＥＬＯＵＴ信号の反転信号との論理積が、ＯＦＦＤＡＴＡ＿ＥＮＡ信号となる。
【００８０】
すなわち、ＤＩＳＯＮ＿ＲＥＡＬ信号は、ＤＩＳＯＮ＿ＳＥＬＯＵＴ信号が１フレームだけ延長される信号である。ＯＦＦＤＡＴＡ＿ＥＮＡ信号は、ＤＩＳＯＮ＿ＳＥＬＯＵＴ信号の立ち下がり後の１フレームだけ「Ｈ」レベルとなる信号である。
【００８１】
ＤＩＳＯＮ＿ＳＥＬＯＵＴ信号が、図３及び図４に示す表示制御信号に相当する。ＤＩＳＯＮ＿ＲＥＡＬ信号が、図３及び図４に示す走査制御信号に相当する。ＯＦＦＤＡＴＡ＿ＥＮＡ信号は、図３及び図４に示すＯＦＦデータ出力制御信号に相当する。
【００８２】
したがって、表示停止信号としてのＲＥＳＥＴ信号が入力されたときＳＬＰＯＵＴ＿ＲＥＧ信号が「Ｈ」レベルから「Ｌ」レベルに変化するため、図１２では例えばＤＦＦ５が図３に示す第１のフレーム同期回路１００に相当する。また、図１２ではＤＦＦ６〜ＤＦＦ９やＤＩＳＯＮ＿ＲＥＡＬ信号を生成するためのその他の論理回路が、図３に示す第２のフレーム同期回路１１０に相当する。更に図１２では、ＤＦＦ１０と、ＯＦＦＤＥＡＴＡ＿ＥＮＡ信号を生成するためのその他の論理回路が、図３に示すＯＦＦデータ出力制御回路１２０に相当する。
【００８３】
ＤＦＦ１１は、ＦＲＡＭＥ＿ＣＬＫ信号の立ち上がりでＳＬＰＯＵＴ＿ＰＲＥ１信号を取り込む。ＤＦＦ１２は、ＦＲＡＭＥ＿ＣＬＫ信号の立ち上がりでＤＦＦ１１の出力信号を取り込み、ＳＬＰＯＵＴ＿ＰＲＥ２信号として出力する。
【００８４】
ＳＬＰＯＵＴ＿ＲＥＡＬ信号は、ＳＬＰＩＮ＿ＳＥＬ信号に応じてＳＬＰＯＵＴ＿ＰＲＥ１信号又はＳＬＰＯＵＴ＿ＰＲＥ２信号のいずれかが選択出力された信号である。
【００８５】
図１３に、図６に示すＰＷＭデコーダ回路２１０及び駆動回路２２０の構成例を示す。ここでは、１データラインの出力の構成のみを示しているが、他のデータラインの出力も同様の構成である。図１３において、表示データＲＡＭ２００からは１ドットが６ビット構成の表示データを反転した反転表示データＸＩ５〜ＸＩ０が、データラッチ７００に取り込まれる。表示データが「１０１０１０（＝２Ａｈ）」のとき、反転表示データＸＩ５〜ＸＩ０は「０１０１０１（＝１５ｈ）」となる。データラッチ７００は、ラッチイネーブルＬＮＬＨの立ち上がり（ラッチイネーブルＬＮＬＨの反転信号ＸＬＮＬＨの立ち下がり）で、反転表示データＸＩ５〜ＸＩ０を取り込む。ラッチイネーブルＬＮＬＨは、ラッチパルスＬＰの変化点より早いタイミングで変化する変化点を有する。このラッチイネーブルＬＮＬＨ（ラッチイネーブルＬＮＬＨの反転信号ＸＬＮＬＨ）に基づいてデータラッチ７００に取り込まれた表示データは、ＰＷＭデコーダ回路７１０に供給される。
【００８６】
ＰＷＭデコーダ回路７１０は、一致検出回路である。ＰＷＭデコーダ回路７１０には、階調リセット信号ＸＲＥＳと、６ビットの階調カウントＧＳＣ［５：０］とが供給される。階調リセット信号ＸＲＥＳは、一水平走査周期の開始タイミングで「Ｌ」レベルとなる。階調カウントＧＳＣ［５：０］は、階調リセット信号ＸＲＥＳにより初期化される。階調カウントＧＳＣ［５：０］は、一水平走査期間内に階調クロックによりインクリメントされる。
【００８７】
図１４に、ＰＷＭデコーダ回路７１０の構成例を示す。ＰＷＭデコーダ回路７１０では、反転表示データＸＩ５〜ＸＩ０と、階調カウントＧＳＣ［５：０］との一致検出が行われる。ここで、一致検出とは、反転表示データＸＩ５〜ＸＩ０の各ビットと階調カウントＧＳＣ［５：０］の各ビットとが互いに相補的であることを検出することをいう。しかしながら、ビット単位で比較対象の２つの値が等しいか否かを検出して、両者の値の一致と等価的な状態を検出するようにしてもよい。
【００８８】
反転表示データＸＩ５〜ＸＩ０の各ビットと階調カウントＧＳＣ［５：０］の各ビットとが互いに相補的となったとき、階調リセット信号ＸＲＥＳによりプリチャージされたノードＮＤが「Ｌ」レベルとなる。ノードＮＤの論理レベルはフリップフロップにより保持されるため、反転表示データＸＩ５〜ＸＩ０の各ビットと階調カウントＧＳＣ［５：０］の各ビットとが互いに相補的となったとき、ＰＷＭ信号が「Ｌ」レベルから「Ｈ」レベルに変化する。これにより、ＰＷＭ信号は、表示データとしての階調値に対応したパルス幅を有することができる。
【００８９】
図１５に、図１３及び図１４に示した回路図の動作例を示す。ここでは、反転表示データＸＩ５〜ＸＩ０が「１０１０１０（＝２Ａｈ）」であるものとする。階調リセット信号ＸＲＥＳが「Ｌ」レベルになると、階調カウントＧＳＣ［５：０］が初期化された状態からインクリメントされる。そして、階調カウントＧＳＣ［５：０］が「０１０１０１（＝１５ｈ）」となったときに、階調カウントＧＳＣ［５：０］の各ビットと反転表示データＸＩ５〜ＸＩ０の各ビットとが互いに相補的になる。したがって、階調カウントＧＳＣ［５：０］が「０１０１０１（＝１５ｈ）」にＰＷＭ信号が「Ｈ」レベルとなる。
【００９０】
図１３において、ＰＷＭデコーダ回路７１０から出力されたＰＷＭ信号は、ＯＦＦＤＡＴＡ＿ＥＮＡ信号の反転信号によりマスクされる。したがって、マスクされた信号のパルス幅は、ＯＦＦＤＡＴＡ＿ＥＮＡ信号により階調値０に対応したパルス幅とすることができる。このように、ＯＦＦＤＡＴＡ＿ＥＮＡ信号を用いてマスクすることで、ＰＷＭデコーダ回路７１０で階調値０に対応したパルス幅を生成することなく簡素な構成でＯＦＦデータに対応した駆動電圧を出力させることが可能となる。
【００９１】
このマスクされた信号は、極性反転信号ＦＲに基づいて例えばフレーム反転される。フレーム反転された信号は、ラインラッチ７２０で取り込まれる。ラインラッチ７２０は、階調ラッチイネーブルＧＳＬＨとその反転信号ＸＧＳＬＨに基づいて、フレーム反転された信号を取り込む。ラインラッチ７２０に取り込まれた信号は、Ｌ／Ｓ７３０でレベル変換される。Ｌ／Ｓ７３０の出力は、バッファ７４０に入力される。バッファ７４０の出力は、データラインに接続される。
【００９２】
次に、図１１及び図１２に示した回路図の動作について説明する。
【００９３】
図１６に、図１１に示す回路図の動作の概要のフローを示す。
【００９４】
図１７に、図１１に示す回路図の動作例のタイミング図を示す。図１１に示す回路では、ＲＥＳＥＴ信号が「Ｈ」レベルから「Ｌ」レベルに変化する（ステップＳ８００：Ｙ）と、ＤＦＦ１がＤＩＳＯＮ＿ＲＥＧ信号を取り込み、ＲＥＳＥＴ＿ＳＥＬ信号を出力する。そして、ＤＩＳＯＮ＿ＲＥＧ信号が「Ｈ」レベルのとき（ステップＳ８０１：Ｙ）、ＲＥＳＥＴ＿ＯＴＨＥＲＳ信号としてＲＥＳＥＴ＿ＰＲＥ１信号を選択する。したがって、ＲＥＳＥＴ＿ＳＬＰＯＵＴ信号のみが「Ｌ」レベルとなり、スリープ制御レジスタ６３０のみが初期化される（ステップＳ８０２）。スリープ制御レジスタ６３０が初期化されると、ＳＬＰＯＵＴ＿ＲＥＧ信号が「Ｈ」レベルから「Ｌ」レベルに変化するため、表示オフ状態に遷移することになる（ステップＳ８０３）。これにより、後述するように、図１２に示す回路においてＳＬＰＯＵＴ＿ＲＥＡＬ信号が「Ｌ」レベルとなるため、ＲＥＳＥＴ＿ＰＲＥ１信号が「Ｌ」レベルとなり、ＲＥＳＥＴ＿ＯＴＨＥＲＳ信号として出力される。その結果、残りの制御レジスタが初期化される（ステップＳ８０４）。
【００９５】
一方、ステップＳ８０１で、ＲＥＳＥＴ信号が「Ｈ」レベルから「Ｌ」レベルに変化したとき、ＤＩＳＯＮ＿ＲＥＧ信号が「Ｌ」レベルのとき（ステップＳ８０１：Ｎ）、ＲＥＳＥＴ＿ＯＴＨＥＲＳ信号としてＲＥＳＥＴ＿ＰＲＥ２信号が選択出力される（ステップＳ８０５）。そのため、スリープ制御レジスタ６３０を含むすべての制御レジスタが初期化される。
【００９６】
図１８に、図１２に示す回路図の動作の概要のフローを示す。
【００９７】
図１９に、図１２に示す回路図の第１の動作例のタイミング図を示す。第１の動作例では、図９（Ａ）に示すようにスリープ状態においてＳＬＰＯＵＴコマンドを設定して表示オフ状態に遷移させてからＤＩＳＯＮコマンドが設定される場合の動作を示す。
【００９８】
図２０に、図１２に示す回路図の第２の動作例のタイミング図を示す。第２の動作例では、図９（Ｂ）に示すようにスリープ状態においてＤＩＳＯＮコマンドが設定された状態でＳＬＰＯＵＴコマンドが設定される場合の動作を示す。
【００９９】
スリープ状態においてＳＬＰＯＵＴコマンドが設定されたとき、ＳＬＰＯＵＴ＿ＲＥＧ信号が「Ｌ」レベルから「Ｈ」レベルに変化する。このとき（ステップＳ９００：Ｙ）、図１２に示すＤＦＦ９によりＤＩＳＯＮ＿ＲＥＧ信号が取り込まれる。ＤＩＳＯＮ＿ＲＥＧ信号が「Ｌ」レベルのとき（ステップＳ９０１：Ｎ）、ＤＩＳＯＮ＿ＰＲＥ２信号がＤＩＳＯＮ＿ＳＥＬＯＵＴ信号として出力される。
【０１００】
これにより、ＤＩＳＯＮ＿ＲＥＡＬ信号が「Ｌ」レベルとなり、表示オフ状態に遷移する（ステップＳ９０２）。ＤＩＳＯＮ＿ＲＥＡＬ信号は、例えばデータラインの駆動のイネーブル信号等の駆動制御信号の出力制御を行う。これにより駆動制御信号が変化したり、固定したりする制御が行われる。ＤＩＳＯＮ＿ＲＥＡＬ信号が「Ｈ」レベルのとき、駆動制御信号の出力制御をオンにして駆動制御信号を変化させ、「Ｌ」レベルのとき、駆動制御信号の出力制御をオフにして駆動制御信号を固定させる。
【０１０１】
ステップＳ９０１で、ＤＩＳＯＮ＿ＲＥＧ信号が「Ｈ」レベルのとき（ステップＳ９０１：Ｙ）、ＤＩＳＯＮ＿ＰＲＥ１信号がＤＩＳＯＮ＿ＳＥＬＯＵＴ信号として出力される。３フレームの期間ＳＬＰＯＵＴ＿ＲＥＧ信号が「Ｈ」レベルのとき、ＤＩＳＯＮ＿ＰＲＥ１信号が「Ｈ」レベルとなる。したがって、図２０に示すように、それまでの間、表示オフ状態に遷移する（ステップＳ９０３）。そして、ＳＬＰＯＵＴコマンドが入力されたフレームから３フレーム後に、表示オン状態に遷移する（ステップＳ９０４）。
【０１０２】
表示オフ状態又は表示オン状態においてＳＬＰＩＮコマンドが設定されたとき、ＳＬＰＯＵＴ＿ＲＥＧ信号が「Ｈ」レベルから「Ｌ」レベルに変化する。このとき（ステップＳ９００：Ｎ、ステップＳ９０５：Ｙ）、図１２に示すＤＦＦ４によりＤＩＳＯＮ＿ＲＥＧ信号が取り込まれる。ＤＩＳＯＮ＿ＲＥＧ信号が「Ｌ」レベルのとき（ステップＳ９０６：Ｎ）、ＳＬＰＯＵＴ＿ＰＲＥ１信号がＳＬＰＯＵＴ＿ＲＥＡＬＬ信号として出力される。したがって、図１９に示すように、ＳＬＰＩＮコマンドが入力された次のフレームでスリープ状態に遷移する（ステップＳ９０７）。
【０１０３】
ステップＳ９０６において、ＳＬＰＯＵＴ＿ＲＥＧ信号が「Ｈ」レベルから「Ｌ」レベルに変化したときにＤＦＦ４により取り込まれたＤＩＳＯＮ＿ＲＥＧ信号が「Ｈ」レベルのとき（ステップＳ９０６：Ｎ）、ＳＬＰＯＵＴ＿ＰＲＥ２信号がＳＬＰＯＵＴ＿ＲＥＡＬ信号として出力される。３フレームの期間、ＳＬＰＯＵＴ＿ＲＥＧ信号が「Ｈ」レベルのとき、ＳＬＰＯＵＴ＿ＰＲＥ２信号が「Ｈ」レベルとなるため、それまでの期間はスリープ状態に遷移しない。このとき、図２０に示すように、ＳＬＰＩＮコマンドが入力されるとＳＬＰＯＵＴ＿ＲＥＧ信号が「Ｌ」レベルに変化するため、立ち下がりエッジ検出回路ＤＤＥＴは、ＤＦＦ５の出力の立ち下がりを検出する。したがって、ＳＬＰＩＮコマンドが設定された次のフレームで、ＤＦＦ５及びＤＦＦ６が初期化され、ＤＩＳＯＮ＿ＰＲＥ１信号が「Ｌ」レベルとなる。その結果、ＤＩＳＯＮ＿ＰＲＥ１信号が「Ｌ」レベルとなったフレームで、ＯＦＦＤＡＴＡ＿ＥＮＡ信号が「Ｈ」レベルとなってデータラインにＯＦＦデータに対応した駆動電圧が出力される（ステップＳ９０８）。
【０１０４】
続くフレームでＤＩＳＯＮ＿ＲＥＡＬ信号が「Ｌ」レベルになるため、表示オフ状態に遷移する（ステップＳ９０９）。
【０１０５】
その後、立ち下がりエッジ検出回路ＤＤＥＴで検出された立ち下がりエッジでＤＦＦ５が初期化されてから２フレームが経過すると、ＳＬＰＯＵＴ＿ＰＲＥ２信号が「Ｌ」レベルとなるため、スリープ状態に遷移する（ステップＳ９１０）。
【０１０６】
なおＳＬＰＯＵＴ＿ＲＥＡＬ信号が「Ｈ」レベルのとき電源回路の動作をオンにして駆動用電源の生成を行わせることができる。またＳＬＰＯＵＴ＿ＲＥＡＬ信号が「Ｌ」レベルのとき電源回路の動作をオフにして、駆動用電源の生成を停止させることができる。更に、ＳＬＰＯＵＴ＿ＲＥＡＬ信号が「Ｈ」レベルのとき、上述の表示タイミング及びラッチタイミングを規定するための駆動用の基準クロックを生成する発振回路の発振動作をオンにすることができる。更にまた、ＳＬＰＯＵＴ＿ＲＥＡＬ信号が「Ｌ」レベルのとき、発振回路の発振動作をオフンにすることができる。
【０１０７】
なお、本発明は上述した実施の形態に限定されるものではなく、本発明の要旨の範囲内で種々の変形実施が可能である。
【０１０８】
また、本発明のうち従属請求項に係る発明においては、従属先の請求項の構成要件の一部を省略する構成とすることもできる。また、本発明の１の独立請求項に係る発明の要部を、他の独立請求項に従属させることもできる。
【図面の簡単な説明】
【図１】図１（Ａ）、（Ｂ）は表示システムの構成例の等価回路図。
【図２】図２（Ａ）、（Ｂ）、（Ｃ）は表示システムによる表示停止制御の説明図。
【図３】表示停止制御回路の原理的な構成の概要を示すブロック図。
【図４】表示停止制御回路の動作例のタイミング図。
【図５】走査ドライバの構成例を示す回路図。
【図６】データドライバの構成の概要を示すブロック図。
【図７】データドライバの制御回路の状態遷移の例を示す図。
【図８】データドライバとホストを示す図。
【図９】図９（Ａ）、（Ｂ）は各状態において設定されるコマンドに応じた遷移の模式図。
【図１０】制御回路が含むコマンド設定部の構成の概要のブロック図。
【図１１】図６の表示停止制御回路の要部の構成例を示す回路図。
【図１２】図６の表示停止制御回路の要部の構成例を示す回路図。
【図１３】図６のＰＷＭデコーダ回路及び駆動回路の構成例を示す回路図。
【図１４】ＰＷＭデコーダ回路の構成例を示す回路図。
【図１５】図１３及び図１４に示した回路図の動作例のタイミング図。
【図１６】図１１に示す回路図の動作の概要を示すフロー図。
【図１７】図１１に示す回路図の動作例のタイミング図。
【図１８】図１２に示す回路図の動作の概要を示すフロー図。
【図１９】図１２に示す回路図の第１の動作例のタイミング図。
【図２０】図１２に示す回路図の第２の動作例のタイミング図。
【符号の説明】
５０  データドライバ、５２、２４０  表示停止制御回路、
１００  第１のフレーム同期回路、１１０  第２のフレーム同期回路、
１２０  ＯＦＦデータ出力制御回路、２００  表示データＲＡＭ、
２１０  ＰＷＭデコーダ回路、２２０  駆動回路、２３０  制御回路
【図１】
2004287163.tif 000003
【図２】
2004287163.tif 000004
【図３】
2004287163.tif 000005
【図４】
2004287163.tif 000006
【図５】
2004287163.tif 000007
【図６】
2004287163.tif 000008
【図７】
2004287163.tif 000009
【図８】
2004287163.tif 000010
【図９】
2004287163.tif 000011
【図１０】
2004287163.tif 000012
【図１１】
2004287163.tif 000013
【図１２】
2004287163.tif 000014
【図１３】
2004287163.tif 000015
【図１４】
2004287163.tif 000016
【図１５】
2004287163.tif 000017
【図１６】
2004287163.tif 000018
【図１７】
2004287163.tif 000019
【図１８】
2004287163.tif 000020
【図１９】
2004287163.tif 000021
【図２０】
2004287163.tif 000022
【手続補正書】
【提出日】平成16年3月23日(2004.3.23)
【手続補正１】
【補正対象書類名】明細書
【補正対象項目名】特許請求の範囲
【補正方法】変更
【補正の内容】
【特許請求の範囲】
【請求項１】
アクティブマトリックス方式の表示パネルと、
前記表示パネルのデータラインを駆動するデータドライバと、
前記表示パネルの走査ラインを走査する走査ドライバとを含む表示システムであって、
前記データドライバが、
前記表示パネルの画像表示を停止するための表示停止信号が入力された場合に、該表示停止信号が入力された第１のフレームの次の第２のフレームを含む該第２のフレーム以降のフレーム期間中に所与の階調値に対応した駆動電圧を前記データラインに出力すると共に、前記フレーム期間経過後に非表示電圧を前記データラインに出力し、
前記走査ドライバが、
前記第１のフレーム及び前記フレーム期間中に前記走査ラインに選択電圧を出力して走査すると共に、前記フレーム期間経過後に非選択電圧を前記走査ラインのすべてに出力することを特徴とする表示システム。
【請求項２】
アクティブマトリックス方式の表示パネルと、
前記表示パネルのデータラインを駆動するデータドライバと、
前記表示パネルの走査ラインを走査する走査ドライバとを含む表示システムであって、
前記表示パネルの画像表示を停止するための表示停止信号を、前記表示パネルの垂直走査期間を規定するフレームパルスに同期させた表示制御信号を出力する第１のフレーム同期回路と、
前記表示制御信号を前記フレームパルスに同期させた走査制御信号を出力する第２のフレーム同期回路と、
前記表示制御信号に基づいて、前記データラインに所与の階調値に対応した駆動電圧を出力するためのＯＦＦデータ出力制御信号を、前記表示停止信号が入力された第１のフレームの次の第２のフレームを含む該第２のフレーム以降のフレーム期間中に出力するＯＦＦデータ出力制御回路とを含み、
前記データドライバは、
前記ＯＦＦデータ出力制御信号に基づいて、前記フレーム期間中に前記駆動電圧を前記データラインに出力すると共に前記フレーム期間経過後に非表示電圧を前記データラインに出力し、
前記走査ドライバは、
前記走査制御信号に基づいて、前記第１のフレーム及び前記フレーム期間中に前記走査ラインに選択電圧を出力して走査すると共に前記フレーム期間経過後に非選択電圧を前記走査ラインのすべてに出力することを特徴とする表示システム。
【請求項３】
請求項１又は２において、
前記表示停止信号は、
前記データドライバの初期化信号、又は前記データラインの駆動が停止されるスリープ状態に設定するためのスリープ信号であることを特徴とする表示システム。
【請求項４】
請求項１乃至３のいずれかにおいて、
前記所与の階調値に対応した駆動電圧は、
階調値が０に対応した駆動電圧であることを特徴とする表示システム。
【請求項５】
アクティブマトリクス方式の表示パネルのデータラインを駆動するデータドライバであって、
前記表示パネルの画像表示を停止するための表示停止信号を、前記表示パネルの垂直走査期間を規定するフレームパルスに同期させた表示制御信号を出力する第１のフレーム同期回路と、
前記表示制御信号を前記フレームパルスに同期させた走査制御信号を出力する第２のフレーム同期回路と、
前記表示制御信号に基づいて、前記データラインに所与の階調値に対応した駆動電圧を出力するためのＯＦＦデータ出力制御信号を、前記表示停止信号が入力された第１のフレームの次の第２のフレームを含む該第２のフレーム以降のフレーム期間中に出力するＯＦＦデータ出力制御回路と、
階調値に対応した駆動電圧を前記データラインに出力する駆動回路とを含み、
前記駆動回路が、
前記ＯＦＦデータ出力制御信号に基づいて、前記フレーム期間中に前記駆動電圧を前記データラインに出力すると共に前記フレーム期間経過後に非表示電圧を前記データラインに出力することを特徴とするデータドライバ。
【請求項６】
請求項５において、
前記走査制御信号は、
前記表示パネルの走査ラインを走査する走査ドライバに対して出力され、
前記走査ドライバは、
前記走査制御信号に基づいて、前記第１のフレーム及び前記フレーム期間中に前記走査ラインに選択電圧を出力して走査すると共に前記フレーム期間経過後に非選択電圧を前記走査ラインのすべてに出力することを特徴とするデータドライバ。
【請求項７】
請求項５又は６において、
前記表示停止信号は、
前記データドライバの初期化信号、又は前記データラインの駆動が停止されるスリープ状態に設定するためのスリープ信号であることを特徴とするデータドライバ。
【請求項８】
請求項５乃至７のいずれかにおいて、
前記所与の階調値に対応した駆動電圧は、
階調値が０に対応した駆動電圧であることを特徴とするデータドライバ。
【請求項９】
アクティブマトリックス方式の表示パネルと、
前記表示パネルのデータラインを駆動するデータドライバと、
前記表示パネルの走査ラインを走査する走査ドライバと、
を含む表示システムの表示駆動方法であって、
前記データドライバが、前記表示パネルの画像表示を停止するための表示停止信号が入力された場合に該表示停止信号が入力された第１のフレームの次の第２のフレームを含む該第２のフレーム以降のフレーム期間中に所与の階調値に対応した駆動電圧を前記データラインに出力すると共に、前記走査ドライバが、前記第１のフレーム及び前記フレーム期間中に前記走査ラインに選択電圧を出力して走査し、
前記フレーム期間経過後に、前記データドライバが、非表示電圧を前記データラインに出力すると共に、前記走査ドライバが、非選択電圧を前記走査ラインのすべてに出力することを特徴とする表示駆動方法。
【手続補正２】
【補正対象書類名】明細書
【補正対象項目名】００１３
【補正方法】変更
【補正の内容】
【００１３】
本発明においては、第１及び第２のフレーム同期回路により表示制御信号及び走査制御信号を生成し、ＯＦＦデータ出力制御回路により表示制御信号に基づいてＯＦＦデータ出力制御信号を生成する。ＯＦＦデータ出力制御信号は、表示停止信号が入力された第１のフレームの次の第２のフレームを含む該第２のフレーム以降のフレーム期間中に出力される。


【手続補正３】
【補正対象書類名】明細書
【補正対象項目名】００２１
【補正方法】変更
【補正の内容】
【００２１】
また本発明に係るデータドライバでは、前記走査制御信号は、前記表示パネルの走査ラインを走査する走査ドライバに対して出力され、前記走査ドライバは、前記走査制御信号に基づいて、前記第１のフレーム及び前記フレーム期間中に前記走査ラインに選択電圧を出力して走査すると共に前記フレーム期間経過後に非選択電圧を前記走査ラインのすべてに出力することができる。